(57)【要約】【課題】映像品質の劣化を抑えつつ副親機の回路構成の簡素化やコストダウンを図る。【解決手段】住戸外に設置される子器１０と、住戸内に設置され信号線Ｌｓを介して子器１０と接続される親機２０と、住戸内に設置され親機２０に対して２線式の平衡ケーブルからなる伝送線Ｌｄで送り配線される１乃至複数台の副親機３０と、伝送線Ｌｄを終端する終端装置４０とで映像伝送システムが構成される。副親機３０の入力インピーダンスＺと終端装置４０の終端抵抗Ｒの合成インピーダンスが伝送線Ｌｄの特性インピーダンスに対して±ａ％の範囲となるように設定している。故に、従来例のように副親機３０の入力インピーダンスＺを伝送線Ｌｄの特性インピーダンスよりも十分に高い値に設定する必要が無く、映像品質の劣化を抑えつつ副親機３０の回路構成の簡素化やコストダウンが図れる。【選択図】        図１
2006325141.tif 000002
【特許請求の範囲】
【請求項１】
住戸外に設置される子器と、住戸内に設置され信号線を介して子器と接続される親機と、住戸内に設置され親機に対して２線式の平衡ケーブルからなる伝送線で送り配線される１乃至複数台の副親機と、伝送線を終端する終端装置とからなり、
子器は、来訪者を撮像する撮像手段と、撮像手段から出力される映像信号を周波数変調し信号線を介して親機に伝送する映像伝送手段とを備え、
親機は、信号線を介して伝送されてくる映像信号を復調する映像復調手段と、映像復調手段で復調された映像信号によって映像を表示する表示手段と、信号線を介して伝送されてくる周波数変調された映像信号を伝送線を介して副親機に中継する映像中継手段とを備え、
副親機は、伝送線を介して伝送されてくる映像信号を復調する映像復調手段と、映像復調手段で復調された映像信号によって映像を表示する表示手段とを備えた映像伝送システムにおいて、
伝送線に接続される副親機並びに終端装置のインピーダンスと伝送線の特性インピーダンスとの整合度合いに対する許容範囲を伝送線の特性インピーダンスに対して±ａ％としたときに、副親機の入力インピーダンスと終端装置のインピーダンスの合成インピーダンスが伝送線の特性インピーダンスに対して±ａ％の範囲となるように設定されたことを特徴とする映像伝送システム。
【請求項２】
副親機の入力インピーダンスと終端装置のインピーダンスの合成インピーダンスが、１台分の副親機の入力インピーダンスと終端装置のインピーダンスの合成インピーダンスが伝送線の特性インピーダンスに対してプラスａ％となり、且つ複数台分の副親機の入力インピーダンスと終端装置のインピーダンスの合成インピーダンスが伝送線の特性インピーダンスに対してマイナスａ％となるように設定されたことを特徴とする請求項１記載の映像伝送システム。
【請求項３】
副親機は、入力インピーダンスを相対的に高いインピーダンスと相対的に低いインピーダンスとに切り替える切替手段を備えたことを特徴とする請求項１又は２記載の映像伝送システム。
【請求項４】
終端装置は、インピーダンスを相対的に高いインピーダンスと相対的に低いインピーダンスとに切り替える切替手段を備えたことを特徴とする請求項３記載の映像伝送システム。
【請求項５】
親機の映像中継手段の伝送線に対する出力インピーダンスが伝送線の特性インピーダンスよりも低く設定されたことを特徴とする請求項１〜４の何れかに記載の映像伝送システム。
【請求項６】
親機の映像中継手段は、複数系統の伝送線に映像信号を伝送することを特徴とする請求項１〜５の何れかに記載の映像伝送システム。
【発明の詳細な説明】
【技術分野】
【０００１】
本発明は、子器において撮像された映像を親機並びに副親機に伝送して表示する映像伝送システムに関するものである。
【背景技術】
【０００２】
この種の映像伝送システムは、例えば、住戸の外玄関等に設置されるカメラ付きのドアホン子器と、住戸内に設置され信号線を介してドアホン子器と接続される親機と、住戸内における親機と別の場所にそれぞれ設置され伝送線で送り配線される１乃至複数台の副親機とで構成され、ドアホン子器と親機又は副親機との間におけるドアホン通話や親機と副親機との間における内線通話を行うとともに、ドアホン子器のカメラで撮像された来訪者の映像を親機又は副親機のモニタ画面に表示するようにしたインターホンシステムに組み込まれている（特許文献１参照）。
【０００３】
図４は上記インターホンシステムに組み込まれた映像伝送システムの一例を示し、住戸の外玄関等に設置されるカメラ付きのドアホン子器１０と、住戸内に設置され信号線Ｌｓを介してドアホン子器１０と接続される親機２０と、住戸内における親機２０と別の場所にそれぞれ設置され伝送線Ｌｄで送り配線される複数台の副親機３０と、伝送線Ｌｄを終端する終端装置４０とで映像伝送システム（インターホンシステム）が構成されている。ドアホン子器１０ではカメラで撮像した来訪者の映像（映像信号）を周波数変調して信号線Ｌｓに送出し、信号線Ｌｓを介して伝送されてくる周波数変調された映像信号が親機２０において周波数復調され、復調された映像信号によって親機２０のモニタ画面に来訪者の映像が表示される。また親機２０では２線式の平衡ケーブルからなる伝送線Ｌｄを介して周波数変調された映像信号を副親機３０に中継しており、伝送線Ｌｄを介して伝送されてくる周波数変調された映像信号が副親機３０において周波数復調され、復調された映像信号によって副親機３０のモニタ画面にも来訪者の映像が表示される。
【０００４】
ここで、映像信号を伝送する搬送波の波長が伝送線Ｌｄの配線長よりも短くなるため、伝送線Ｌｄと終端抵抗との間でインピーダンスの不整合が大きくなると、映像信号の反射が生じ、モニタに表示する画質が劣化してしまうことになる。従って、上記従来例においては、終端装置４０のインピーダンスを伝送線Ｌｄの特性インピーダンスに等しくするとともに、伝送線Ｌｄに接続される各副親機３０の入力インピーダンス（伝送線Ｌｄから副親機３０側を見たインピーダンス）を伝送線Ｌｄの特性インピーダンスよりも十分に高い値に設定することで副親機３０の入力インピーダンスの影響が実質的に無視できるようにしている。
【特許文献１】特開平１０−５１５６１号公報
【発明の開示】
【発明が解決しようとする課題】
【０００５】
しかしながら、副親機３０において伝送線Ｌｄが送り配線される端子間や、あるいは副親機３０の内部回路に形成された配線パターン間に生じる浮遊容量や各種の寄生容量等の影響によって副親機３０の入力インピーダンスを伝送線Ｌｄの特性インピーダンスよりも十分に高い値に設定することが難しく、ひいては副親機３０の回路構成の複雑化やコストアップを招いていた。
【０００６】
本発明は上記事情に鑑みてなされたものであり、その目的は、映像品質の劣化を抑えつつ副親機の回路構成の簡素化やコストダウンが図れる映像伝送システムを提供することにある。
【課題を解決するための手段】
【０００７】
請求項１の発明は、上記目的を達成するために、住戸外に設置される子器と、住戸内に設置され信号線を介して子器と接続される親機と、住戸内に設置され親機に対して２線式の平衡ケーブルからなる伝送線で送り配線される１乃至複数台の副親機と、伝送線を終端する終端装置とからなり、子器は、来訪者を撮像する撮像手段と、撮像手段から出力される映像信号を周波数変調し信号線を介して親機に伝送する映像伝送手段とを備え、親機は、信号線を介して伝送されてくる映像信号を復調する映像復調手段と、映像復調手段で復調された映像信号によって映像を表示する表示手段と、信号線を介して伝送されてくる周波数変調された映像信号を伝送線を介して副親機に中継する映像中継手段とを備え、副親機は、伝送線を介して伝送されてくる映像信号を復調する映像復調手段と、映像復調手段で復調された映像信号によって映像を表示する表示手段とを備えた映像伝送システムにおいて、伝送線に接続される副親機並びに終端装置のインピーダンスと伝送線の特性インピーダンスとの整合度合いに対する許容範囲を伝送線の特性インピーダンスに対して±ａ％としたときに、副親機の入力インピーダンスと終端装置のインピーダンスの合成インピーダンスが伝送線の特性インピーダンスに対して±ａ％の範囲となるように設定されたことを特徴とする。
【０００８】
請求項２の発明は、請求項１の発明において、副親機の入力インピーダンスと終端装置のインピーダンスの合成インピーダンスが、１台分の副親機の入力インピーダンスと終端装置のインピーダンスの合成インピーダンスが伝送線の特性インピーダンスに対してプラスａ％となり、且つ複数台分の副親機の入力インピーダンスと終端装置のインピーダンスの合成インピーダンスが伝送線の特性インピーダンスに対してマイナスａ％となるように設定されたことを特徴とする。
【０００９】
請求項３の発明は、請求項１又は２の発明において、副親機は、入力インピーダンスを相対的に高いインピーダンスと相対的に低いインピーダンスとに切り替える切替手段を備えたことを特徴とする。
【００１０】
請求項４の発明は、請求項３の発明において、終端装置は、インピーダンスを相対的に高いインピーダンスと相対的に低いインピーダンスとに切り替える切替手段を備えたことを特徴とする。
【００１１】
請求項５の発明は、請求項１〜４の何れかの発明において、親機の映像中継手段の伝送線に対する出力インピーダンスが伝送線の特性インピーダンスよりも低く設定されたことを特徴とする。
【００１２】
請求項６の発明は、請求項１〜５の何れかの発明において、親機の映像中継手段は、複数系統の伝送線に映像信号を伝送することを特徴とする。
【発明の効果】
【００１３】
請求項１の発明によれば、副親機の入力インピーダンスを従来例よりも低い値に設定することができて映像品質の劣化を抑えつつ副親機の回路構成の簡素化やコストダウンが図れるという効果がある。
【００１４】
請求項２の発明によれば、請求項１と同様に映像品質の劣化を抑えつつ副親機の回路構成の簡素化やコストダウンが図れるという効果がある。
【００１５】
請求項３の発明によれば、副親機の入力インピーダンスと終端装置のインピーダンスの合成インピーダンスが伝送線の特性インピーダンスに対して±ａ％を超えるような台数の副親機が接続された場合でも切替手段により副親機の入力インピーダンスを相対的に高いインピーダンスに切り替えることで伝送線の特性インピーダンスに対して±ａ％の範囲に収めることができ、副親機の接続台数の増加に柔軟に対応することが可能になるという効果がある。
【００１６】
請求項４の発明によれば、副親機の接続台数が増えた場合における合成インピーダンスの整合がより確実に行えるという効果がある。
【００１７】
請求項５の発明によれば、親機から伝送線に送出する映像信号の出力損失を小さくして回路の低消費電力化や小型化が図れるという効果がある。
【００１８】
請求項６の発明によれば、施工性が向上するという効果がある。
【発明を実施するための最良の形態】
【００１９】
以下、本発明を従来例で説明したインターホンシステムに適用した実施形態により詳細に説明する。
【００２０】
（実施形態１）
本実施形態の映像伝送システムは、図１に示すように住戸外に設置される子器１０と、住戸内に設置され信号線Ｌｓを介して子器１０と接続される親機２０と、住戸内に設置され親機２０に対して２線式の平衡ケーブルからなる伝送線Ｌｄで送り配線される１乃至複数台の副親機３０と、伝送線Ｌｄを終端する終端装置４０とからなる。
【００２１】
子器１０は、来訪者を撮像するカメラ部１１と、カメラ部１１から出力される映像信号を周波数変調する映像信号処理部１２と、平衡−不平衡変換などを行って映像信号処理部１２で周波数変調された映像信号を信号線Ｌｓを介して親機２０に送信する映像送信回路部１３とを備え、カメラ部１１が撮像手段、映像信号処理部１２と映像送信回路部１３が映像伝送手段に相当する。
【００２２】
親機２０は、平衡−不平衡変換などを行って信号線Ｌｓを介して子器１０から伝送されてくる映像信号を受信する映像受信回路部２１と、映像受信回路部２１で受信した映像信号を復調する映像信号処理部２２と、映像信号処理部２２で復調された映像信号によって映像を表示するモニタテレビ２３と、映像受信回路部２１で受信した映像信号（周波数変調された映像信号）を２線式の平衡ケーブルからなる伝送線Ｌｄを介して副親機３０に送信（中継）する映像送信回路部２４とを備える。
【００２３】
副親機３０は、平衡−不平衡変換などを行って信号線Ｌｓを介して子器１０から伝送されてくる映像信号を受信するとともに受信した映像信号を復調する映像受信処理部３１と、映像受信処理部３１で復調された映像信号によって映像を表示するモニタテレビ３２と、伝送線Ｌｄの線間を終端抵抗で終端する状態と終端しない状態をスイッチのオン・オフで択一的に切り替える終端装置４０とを備える。但し、図示は省略しているが、子器１０、親機２０、副親機３０はそれぞれマイクロホン及びスピーカや、信号線Ｌｓ並びに伝送線Ｌｄを介して音声信号を送受信する音声送受信回路などの通話用の回路を備えており、子器１０と親機２０又は副親機３０との間でドアホン通話を行うとともに親機２０と副親機３０若しくは副親機３０同士の間で内線通話を行うことができる。
【００２４】
ここで、終端装置４０の終端抵抗（インピーダンス）をＲ、伝送線Ｌｄの特性インピーダンスをＺｏ、伝送線Ｌｄから映像受信処理部３１をみた入力インピーダンス（以下、このインピーダンスを「副親機３０の入力インピーダンス」と呼ぶ。）をＺとしたとき、本実施形態においては、それぞれ下記の不等式（１）〜（３）を満足するように終端抵抗Ｒ並びに副親機３０の入力インピーダンスＺが設定されている。なお、式（３）におけるｎは伝送線Ｌｄに送り配線される副親機３０の台数である。
【００２５】
【数１】
2006325141.tif 000003
【００２６】
すなわち、終端抵抗Ｒ及び副親機３０の入力インピーダンスＺは何れも伝送線Ｌｄの特性インピーダンスＺｏに対して＋ａ％の値（＝Ｚｏ×（１＋ａ／１００））よりも高い値であり（式（１）及び（２）参照）、且つ副親機３０の入力インピーダンスＺと終端装置４０の終端抵抗Ｒの合成インピーダンス（１／Ｒ＋ｎ／Ｚの逆数）が伝送線Ｌｄの特性インピーダンスに対して±ａ％の範囲となるように設定されている（式（３）参照）。ここで、ａ［％］の値は、副親機３０の入力インピーダンスＺと終端抵抗Ｒの合成インピーダンスが伝送線Ｌｄの特性インピーダンスＺｏに対して±ａの値（＝Ｚｏ×（１＋ａ／１００））であるときに副親機３０のモニタテレビ３２に映し出される映像の品質が許容限界となる値（例えば、２０［％］）と規定され、例えば、試験を行うことで決定される値である。
【００２７】
さらに、不等式（１）〜（３）を変形することで下記の不等式（４），（５）が導き出される。
【００２８】
【数２】
2006325141.tif 000004
【００２９】
従って、不等式（４）を満たすように終端抵抗Ｒの値を設定した後、その終端抵抗Ｒの値において不等式（５）を満たすように副親機３０の入力インピーダンスＺを設定すればよい。但し、副親機３０の接続台数が増えるにつれて副親機３０の入力インピーダンスＺと終端抵抗Ｒの合成インピーダンスが低下するから、伝送線Ｌｄに接続される副親機３０の台数が１台の場合は副親機３０の入力インピーダンスＺと終端抵抗Ｒの合成インピーダンスが伝送線Ｌｄの特性インピーダンスに対して＋ａ％以下となるように設定し、伝送線Ｌｄに接続される副親機３０の台数が複数台の場合は複数台分の副親機３０の入力インピーダンスＺと終端抵抗Ｒのインピーダンスの合成インピーダンスが伝送線Ｌｄの特性インピーダンスに対して−ａ％以上となるように設定すればよい。
【００３０】
上述のように本実施形態によれば、副親機３０の入力インピーダンスＺと終端装置４０の終端抵抗Ｒの合成インピーダンスが伝送線Ｌｄの特性インピーダンスに対して±ａ％の範囲となるように設定しているため、従来例のように副親機３０の入力インピーダンスＺを伝送線Ｌｄの特性インピーダンスよりも十分に高い値に設定する必要が無く、映像品質の劣化を抑えつつ副親機３０の回路構成の簡素化やコストダウンが図れるものである。
【００３１】
なお、図２に示すように親機２０の映像送信回路部２４に対して複数系統の伝送線Ｌｄ，Ｌｄを接続してもよく、この場合においても各系統の伝送線Ｌｄ毎に上記不等式（１）〜（５）を満足するように副親機３０の入力インピーダンスＺ及び終端装置４０の終端抵抗Ｒの値を設定すればよい。また、親機２０の映像送信回路部２４から伝送線Ｌｄをみたときのインピーダンス（親機２０の出力インピーダンス）を伝送線Ｌｄの特性インピーダンスよりも低く設定すれば、親機２０から伝送線Ｌｓに送出する映像信号の出力損失を小さくして回路の低消費電力化や小型化が図れるという利点がある。
【００３２】
（実施形態２）
本実施形態のシステム構成図を図３に示す。但し、本実施形態の基本構成は実施形態１と共通であるから、共通の構成要素には同一の符号を付して説明を省略し、本実施形態の特徴となる構成についてのみ説明する。
【００３３】
本実施形態は、入力インピーダンスＺを複数通りに切り替える入力インピーダンス切替回路部３３を副親機３０に備えた点に特徴がある。入力インピーダンス切替回路部３３は、映像受信処理部３１の２つの入力端にそれぞれ一端が並列に接続され且つ互いに抵抗値が異なる各３つの抵抗Ｒ１，Ｒ２，Ｒ３と、伝送線Ｌｄの各線と３つの抵抗Ｒ１，Ｒ２，Ｒ３の他端とを択一的に切替接続する一対のスイッチＳＷとで構成される。但し、これら一対のスイッチＳＷは図示しない操作部を手動で操作することによって連動して切り替えられるものであって、常に同じ抵抗値を有する抵抗Ｒ１又はＲ２又はＲ３に接続される。
【００３４】
すなわち、実施形態１で説明したように副親機３０の入力インピーダンスＺ並びに終端装置４０の終端抵抗Ｒの値は規定台数ｎに応じた値に設定されているが、施工物件の種類等によっては規定台数ｎよりも多い台数Ｎ（≧ｎ＋１）の副親機３０が伝送線Ｌｄに接続される場合があり、かかる場合においても入力インピーダンス切替回路部３３により副親機３０の入力インピーダンスＺを高い値に切り替えることで伝送線Ｌｄの特性インピーダンスＺｏに対して±ａ％の範囲に副親機３０の入力インピーダンスＺと終端装置４０の終端抵抗Ｒの合成インピーダンスを収めることができ、副親機３０の接続台数の増加に柔軟に対応することが可能になる。
【００３５】
さらに本実施形態では、終端装置４０に互いに抵抗値が異なる３つの終端抵抗Ｒａ，Ｒｂ，Ｒｃを設け、手動で切り替えられるスイッチＳＷによって３つの終端抵抗Ｒａ，Ｒｂ，Ｒｃの何れか１つを択一的に選択できるようにしている。このように副親機３０の入力インピーダンスＺだけでなく終端装置４０の終端抵抗も切り替えられるようにすれば、副親機３０の接続台数が増えた場合における合成インピーダンスの整合がより確実に行えるという利点がある。
【図面の簡単な説明】
【００３６】
【図１】本発明の実施形態１を示すシステム構成図である。
【図２】同上の他のシステム構成図である。
【図３】本発明の実施形態２を示すシステム構成図である。
【図４】従来例のシステム構成図である。
【符号の説明】
【００３７】
１０  子器
２０  親機
３０  副親機
４０  終端装置
Ｌｄ  伝送線
【図１】
2006325141.tif 000005
【図２】
2006325141.tif 000006
【図３】
2006325141.tif 000007
【図４】
2006325141.tif 000008